(57)【要約】【課題】ユーザがコンテンツを選択する際の利便性を向上させる【解決手段】コンテンツ装飾部１５は、複数のコンテンツ１が一覧可能に表示されるそれぞれの表示枠９を、当該コンテンツを識別するカラーボタン５に対応付けられた色と同一の色で装飾することによって明示し、コンテンツ選択部１６は、１回の入力によって選択可能なカラーボタン５をユーザに選択させることによって、当該コンテンツを選択する。【選択図】図１
2013175942.tif 000002
【特許請求の範囲】
【請求項１】
複数のコンテンツを一覧可能に表示する表示手段と、前記表示手段によって複数のコンテンツが一覧可能に表示されている場合、当該複数のコンテンツと当該複数のコンテンツのそれぞれを識別する複数の識別子との対応関係を明示する明示手段と、前記明示手段によって対応関係が明示された後、当該複数の識別子の中から少なくとも１つをユーザに選択させることによって、当該選択された識別子によって識別されるコンテンツを選択する選択手段とを備えた表示装置であって、
前記明示手段は、前記複数のコンテンツが一覧可能に表示されるそれぞれの領域の境界を、コンテンツを識別する識別子に対応付けられた識別表示と同一の識別表示で装飾することによって明示し、
前記選択手段は、１回の入力によって選択可能な前記識別子をユーザに選択させることによって、前記コンテンツを選択することを特徴とする表示装置。
【請求項２】
ユーザによって１つ目に選択された識別子とは異なる識別子が２つ目に選択された場合、当該１つ目に選択された識別子によって識別されるコンテンツの表示位置と、当該２つ目に選択された識別子によって識別されるコンテンツの表示位置とを入れ替える入替手段をさらに備えたことを特徴とする請求項１に記載の表示装置。
【請求項３】
前記識別表示は、前記複数の識別子の間で互いに異なる色であり、
前記明示手段は、前記領域の境界を前記識別子に対応付けられた色で装飾することによって明示することを特徴とする請求項１または２に記載の表示装置。
【請求項４】
前記識別子は、前記表示装置を操作可能な入力機器に備えられた操作キーであることを特徴とする請求項１から３のいずれか１項に記載の表示装置。
【請求項５】
前記表示手段は、前記入力機器における操作キーの配列に応じて、前記複数のコンテンツを一覧可能に表示することを特徴とする請求項４に記載の表示装置。
【請求項６】
前記明示手段は、前記選択手段によってコンテンツが選択された場合、当該選択されたコンテンツ以外の他のコンテンツの領域の境界のみを、コンテンツを識別する識別子に対応付けられた識別表示と同一の識別表示で装飾することによって明示することを特徴とする請求項１から５のいずれか１項に記載の表示装置。
【請求項７】
前記選択手段は、ユーザによって第１の操作が行われた場合、前記コンテンツの選択をキャンセルすることを特徴とする請求項１から６のいずれか１項に記載の表示装置。
【請求項８】
前記選択手段は、ユーザによって第２の操作が行われた後に前記１回の入力を受け付けることによって、前記コンテンツを選択することを特徴とする請求項１から７のいずれか１項に記載の表示装置。
【請求項９】
複数のコンテンツを一覧可能に表示する表示ステップと、前記表示ステップにおいて複数のコンテンツが一覧可能に表示されている場合、当該複数のコンテンツと当該複数のコンテンツのそれぞれを識別する複数の識別子との対応関係を明示する明示ステップと、前記明示ステップにおいて対応関係が明示された後、当該複数の識別子の中から少なくとも１つをユーザに選択させることによって、当該選択された識別子によって識別されるコンテンツを選択する選択ステップとを含む表示装置の制御方法であって、
前記明示ステップでは、前記複数のコンテンツが一覧可能に表示されるそれぞれの領域の境界を、コンテンツを識別する識別子に対応付けられた識別表示と同一の識別表示で装飾することによって明示し、
前記選択ステップでは、１回の入力によって選択可能な前記識別子をユーザに選択させることによって、前記コンテンツを選択することを特徴とする表示装置の制御方法。
【請求項１０】
請求項１から８のいずれか１項に記載の表示装置を動作させるための制御プログラムであって、コンピュータを前記各手段として機能させるための制御プログラム。
【請求項１１】
請求項１０に記載の制御プログラムを記録したコンピュータ読み取り可能な記録媒体。
【発明の詳細な説明】
【技術分野】
【０００１】
本発明は、一覧表示した複数のコンテンツの中から１つをユーザに選択させる表示装置に関するものである。
【背景技術】
【０００２】
ユーザが一覧できるように複数のコンテンツを表示し、当該複数のコンテンツの中からユーザに選択されたコンテンツを表示する装置が広く普及している。例えば、放送波に含まれるテレビジョン番組やＤＶＤ（Digital Versatile Disc）に含まれるチャプターを一覧表示する、テレビジョン受像機やＤＶＤ再生機などは一般的である。
【０００３】
上記背景により、一覧表示した複数のコンテンツから所望するコンテンツをユーザに選択させるためのインターフェースが研究されている。例えば、一覧表示した各コンテンツに番号を重畳表示させ、当該番号とリモコンに備えたボタンとの対応関係を明示することで、ユーザがコンテンツを選択する際の利便性を改善しようとするものがある（後述する図１３をあわせて参照）。
【０００４】
また、下記の特許文献１では、カーソルボタンと、異なる色を有する複数のカラーボタンとを備えたリモコン装置で操作可能なテレビジョン信号受信装置が開示されている。当該装置は、ユーザにテレビ番組を選択させるために、カーソルボタンを操作させる。
【先行技術文献】
【特許文献】
【０００５】
【特許文献１】特開２０１１−３０２８２号公報（２０１１年２月１０日公開）
【発明の概要】
【発明が解決しようとする課題】
【０００６】
図１３に基づいて、従来のテレビジョン受像機が有する課題を説明する。図１３は、従来のテレビジョン受像機がマルチコンテンツ表示を行った場合に生じる課題を示す模式図である。同図に示すように、一覧表示した各コンテンツに番号を重畳表示させ、当該番号とリモコンに備えたボタンとの対応関係を明示すると、ユーザは当該コンテンツを視認しづらくなる。
【０００７】
また、上記の特許文献１に開示された装置では、ユーザはカーソルボタンを操作する必要がある。すなわち、一覧表示された複数のコンテンツの中から所望のコンテンツを選択するためには、ユーザは何度もカーソルボタンを押下しなければならないため、ユーザの操作負担が大きいという点で課題が残る。
【０００８】
本発明は、上記の問題点に鑑みてなされたものであり、その目的は、各コンテンツの表示枠を装飾するとともに、ユーザが１回の入力でコンテンツを選択可能にすることにより、コンテンツを選択する際のユーザの利便性を向上させることのできる表示装置等を提供することである。
【課題を解決するための手段】
【０００９】
上記の課題を解決するために、本発明の表示装置は、
（１）複数のコンテンツを一覧可能に表示する表示手段と、前記表示手段によって複数のコンテンツが一覧可能に表示されている場合、当該複数のコンテンツと当該複数のコンテンツのそれぞれを識別する複数の識別子との対応関係を明示する明示手段と、前記明示手段によって対応関係が明示された後、当該複数の識別子の中から少なくとも１つをユーザに選択させることによって、当該選択された識別子によって識別されるコンテンツを選択する選択手段とを備えた表示装置であって、
（２）前記明示手段は、前記複数のコンテンツが一覧可能に表示されるそれぞれの領域の境界を、コンテンツを識別する識別子に対応付けられた識別表示と同一の識別表示で装飾することによって明示し、
（３）前記選択手段は、１回の入力によって選択可能な前記識別子をユーザに選択させることによって、前記コンテンツを選択することを特徴としている。
【００１０】
また、上記の課題を解決するために、本発明の表示装置の制御方法は、
（１）複数のコンテンツを一覧可能に表示する表示ステップと、前記表示ステップにおいて複数のコンテンツが一覧可能に表示されている場合、当該複数のコンテンツと当該複数のコンテンツのそれぞれを識別する複数の識別子との対応関係を明示する明示ステップと、前記明示ステップにおいて対応関係が明示された後、当該複数の識別子の中から少なくとも１つをユーザに選択させることによって、当該選択された識別子によって識別されるコンテンツを選択する選択ステップとを含む表示装置の制御方法であって、
（２）前記明示ステップでは、前記複数のコンテンツが一覧可能に表示されるそれぞれの領域の境界を、コンテンツを識別する識別子に対応付けられた識別表示と同一の識別表示で装飾することによって明示し、
（３）前記選択ステップでは、１回の入力によって選択可能な前記識別子をユーザに選択させることによって、前記コンテンツを選択することを特徴としている。
【００１１】
上記の構成によれば、本発明の表示装置および当該装置の制御方法は、ユーザが一覧できるように複数のコンテンツを表示する。このとき上記表示装置等は、当該複数のコンテンツと、当該複数のコンテンツのそれぞれを識別する複数の識別子との対応関係を明示する。そして、上記表示装置等は、対応関係を明示した後、当該複数の識別子の中から少なくとも１つをユーザに選択させることによって、当該選択された識別子によって識別されるコンテンツを選択する。
【００１２】
ただし、上記表示装置等では、複数のコンテンツが一覧表示されるそれぞれの領域の境界を、当該コンテンツを識別する識別子に対応付けられた識別表示と同一の識別表示で装飾することによって明示する。また、上記表示装置等は、１回の入力によって選択可能な識別子をユーザに選択させることによって、当該コンテンツを選択する。
【００１３】
上記した従来技術のように、一覧表示した各コンテンツに番号を重畳表示させて、当該番号と識別子との対応関係を明示すると、ユーザは当該コンテンツを視認しづらくなる。一方、本発明の表示装置および当該装置の制御方法は、コンテンツの表示領域の境界を、識別子に対応付けられた識別表示と同一の識別表示で装飾する。これにより、上記表示装置等は、コンテンツの一覧表示を阻害することなく、コンテンツと識別子との対応関係を明示できる。
【００１４】
また、上記した従来技術では、一覧表示された複数のコンテンツの中から所望のコンテンツを選択するために、ユーザは繰り返し操作することを強いられる。一方、本発明の表示装置および当該装置の制御方法は、１回の入力によって選択可能な識別子をユーザに選択させることができる。これにより、上記表示装置等は、ユーザに所望のコンテンツを簡単に選択させることができる。
【００１５】
したがって、本発明の表示装置および当該装置の制御方法は、ユーザがコンテンツを選択する際の利便性を向上させることができる。
【００１６】
また、本発明の表示装置は、
（１）ユーザによって１つ目に選択された識別子とは異なる識別子が２つ目に選択された場合、当該１つ目に選択された識別子によって識別されるコンテンツの表示位置と、当該２つ目に選択された識別子によって識別されるコンテンツの表示位置とを入れ替える入替手段をさらに備えたことを特徴としている。
【００１７】
上記の構成によれば、本発明の表示装置は、１回の入力で１つ目に選択された識別子によって識別されるコンテンツの表示位置と、１回の入力で２つ目に選択された識別子によって識別されるコンテンツの表示位置とを入れ替えることができる。
【００１８】
これにより、本発明の表示装置は、ユーザに２つのコンテンツの表示位置を簡単に入れ替えさせることができる。ここで、１つ目の選択と２つ目の選択とで異なる識別子が選択されるため、上記表示装置は、ユーザがコンテンツを選択する操作を行っているか、コンテンツを入れ替える操作を行っているかを区別できる。これにより、上記表示装置は、ユーザの誤操作を減らすことができる。
【００１９】
したがって、本発明の表示装置は、ユーザがコンテンツを選択する際の利便性をさらに向上させることができる。
【００２０】
また、本発明の表示装置では、
（１）前記識別表示は、前記複数の識別子の間で互いに異なる色であり、
（２）前記明示手段は、前記領域の境界を前記識別子に対応付けられた色で装飾することによって明示することを特徴としている。
【００２１】
上記の構成によれば、本発明の表示装置では、識別表示は複数の識別子の間で互いに異なる色である。そして、上記表示装置は、領域の境界を識別子に対応付けられた色で装飾することによって明示する。
【００２２】
これにより、本発明の表示装置は、ユーザに一覧表示されたコンテンツと識別子との対応関係を直感的に認識させることができる。したがって、本発明の表示装置は、ユーザがコンテンツを選択する際の利便性をさらに向上させることができる。
【００２３】
また、本発明の表示装置では、
（１）前記識別子は、前記表示装置を操作可能な入力機器に備えられた操作キーであることを特徴としている。
【００２４】
上記の構成によれば、本発明の表示装置では、識別子は当該表示装置を操作可能な入力機器に備えられた操作キーである。
【００２５】
これにより、本発明の表示装置は、ユーザに使いやすい入力インターフェースを提供できる。したがって、本発明の表示装置は、ユーザがコンテンツを選択する際の利便性をさらに向上させることができる。
【００２６】
また、本発明の表示装置では、
（１）前記表示手段は、前記入力機器における操作キーの配列に応じて、前記複数のコンテンツを一覧可能に表示することを特徴としている。
【００２７】
上記の構成によれば、本発明の表示装置は、入力機器における操作キーの配列に応じて複数のコンテンツを一覧可能に表示できる。
【００２８】
これにより、本発明の表示装置は、ユーザに入力機器における操作キーの位置関係を確認させることなく、ユーザに識別子を選択させることができる。したがって、本発明の表示装置は、ユーザがコンテンツを選択する際の利便性をさらに向上させることができる。
【００２９】
また、本発明の表示装置では、
（１）前記明示手段は、前記選択手段によってコンテンツが選択された場合、当該選択されたコンテンツ以外の他のコンテンツの領域の境界のみを、コンテンツを識別する識別子に対応付けられた識別表示と同一の識別表示で装飾することによって明示することを特徴としている。
【００３０】
上記の構成によれば、本発明の表示装置は、コンテンツが選択された場合に、当該選択されたコンテンツ以外の他のコンテンツの領域の境界のみを、当該コンテンツを識別する識別子に対応付けられた識別表示と同一の識別表示で装飾して明示できる。
【００３１】
したがって、本発明の表示装置は、ユーザがコンテンツを選択する際の利便性をさらに向上させることができる。
【００３２】
また、本発明の表示装置では、
（１）前記選択手段は、ユーザによって第１の操作が行われた場合、前記コンテンツの選択をキャンセルすることを特徴としている。
【００３３】
上記の構成によれば、本発明の表示装置は、ユーザによって第１の操作が行われた場合、コンテンツの選択をキャンセルできる。
【００３４】
これにより、本発明の表示装置は、ユーザに誤操作を簡単に取り消させることができるため、ユーザがコンテンツを選択する際の利便性をさらに向上させることができる。
【００３５】
また、本発明の表示装置では、
（１）ユーザによって第２の操作が行われた後に前記１回の入力を受け付けることによって、前記コンテンツを選択することを特徴としている。
【００３６】
上記の構成によれば、本発明の表示装置は、ユーザによって第２の操作が行われた後に１回の入力を受け付けることによってコンテンツを選択できる。
【００３７】
これにより、ユーザによって第２の操作が行われるまで、本発明の表示装置は識別子を他の処理を実行するための操作に割り当てることができる。したがって、本発明の表示装置は、ユーザがコンテンツを選択する際の利便性をさらに向上させることができる。
【００３８】
なお、前記表示装置はコンピュータによって実現してもよい。この場合には、コンピュータを前記表示装置の各手段として動作させることにより、前記表示装置をコンピュータで実現させる制御プログラム、およびこれを記録したコンピュータ読み取り可能な記録媒体も本発明の範疇に入る。
【発明の効果】
【００３９】
以上のように、本発明の表示装置では、前記明示手段は、前記複数のコンテンツが一覧可能に表示されるそれぞれの領域の境界を、当該コンテンツを識別する識別子に対応付けられた識別表示と同一の識別表示で装飾することによって明示し、前記選択手段は、１回の入力によって選択可能な前記識別子をユーザに選択させることによって、当該コンテンツを選択する構成である。
【００４０】
また、本発明の表示装置の制御方法は、前記明示ステップでは、前記複数のコンテンツが一覧可能に表示されるそれぞれの領域の境界を、当該コンテンツを識別する識別子に対応付けられた識別表示と同一の識別表示で装飾することによって明示し、前記選択ステップでは、１回の入力によって選択可能な前記識別子をユーザに選択させることによって、当該コンテンツを選択する構成である。
【００４１】
すなわち、上記表示装置等は、コンテンツの表示領域の境界を、識別子に対応付けられた識別表示と同一の識別表示で装飾することにより、コンテンツの一覧表示を阻害することなく、コンテンツと識別子との対応関係を明示できる。また、上記表示装置等は、１回の入力によって選択可能な識別子をユーザに選択させることができるため、ユーザに所望のコンテンツを簡単に選択させることができる。
【００４２】
したがって、本発明の表示装置および当該装置の制御方法は、ユーザがコンテンツを選択する際の利便性を向上させることができるという効果を奏する。
【図面の簡単な説明】
【００４３】
【図１】本発明の第１の実施形態に係るテレビジョン受像機の要部構成を示すブロック図である。
【図２】図１に示したテレビジョン受像機を操作可能なリモコンの外観例を示す模式図である。
【図３】図１に示したテレビジョン受像機を操作可能なスマートフォンの外観例を示す模式図である。
【図４】図１に示したテレビジョン受像機がマルチコンテンツ表示を行った場合、各コンテンツの表示枠の色と、図２に示したリモコンのカラーボタンの色とが一致することを示す模式図である。
【図５】図１に示したテレビジョン受像機がマルチコンテンツ表示を行った場合の画面例と、図２に示したリモコンに備えたカラーボタンの配置例との対応関係を示す模式図である。
【図６】図１に示したテレビジョン受像機がマルチコンテンツ表示を行った場合の異なる画面例と、図２に示したリモコンに備えたカラーボタンの異なる配置例との対応関係を示す模式図である。
【図７】図１に示したテレビジョン受像機が実行する処理の一例を示すフローチャートである。
【図８】ユーザがコンテンツを選択した場合、選択されていないコンテンツにのみ表示枠が表示される例を示す模式図であり、（ａ）は図１に示したテレビジョン受像機がマルチコンテンツ表示を行った場合の画面例を示し、（ｂ）はユーザによってコンテンツが選択された直後のマルチコンテンツ表示を示し、（ｃ）はユーザによってコンテンツが選択された後、メイン画面に表示されていたコンテンツに表示枠が表示された状態を示す。
【図９】本発明の第２の実施形態に係るテレビジョン受像機の要部構成を示すブロック図である。
【図１０】コンテンツの表示位置を入れ替える処理の流れを示す模式図であり、（ａ）は図９に示したテレビジョン受像機がマルチコンテンツ表示を行っている場合の画面例を示し、（ｂ）はユーザが右下のコンテンツを選択した場合の画面例を示し、（ｃ）は２つのコンテンツの表示位置を入れ替えた場合の画面例を示す。
【図１１】図９に示したテレビジョン受像機が実行する処理の一例を示すフローチャートである。
【図１２】本発明の第３の実施形態に係るテレビジョン受像機の要部構成を示すブロック図である。
【図１３】従来のテレビジョン受像機がマルチコンテンツ表示を行った場合に生じる課題を示す模式図である。
【発明を実施するための形態】
【００４４】
本発明の第１の実施の形態について、図１〜図７に基づいて詳細に説明する。
【００４５】
以下では、類似の性質をもつ部材が複数存在することを明示するために、同一の部材番号にアルファベットをさらに付して当該部材を示すことがある。例えば、「選択ボタン７ａ」、「キャンセルボタン７ｂ」などと示す。また、部材名が同一である場合、当該部材の部材番号にさらに付された上記アルファベットを省略して、当該部材を総称することがある。例えば、カラーボタン５ａ、カラーボタン５ｂ、カラーボタン５ｃ、およびカラーボタン５ｄを、「カラーボタン５」と総称することがある。
【００４６】
本実施の形態において、「コンテンツ」とは、主に放送局（メインチャンネルおよびサブチャンネルの双方を含む）から放送されるテレビジョン番組をいうが、例えばケーブルテレビ、ＣＳ放送、ラジオ放送、ＤＶＤ、インターネットなどから提供されるすべての映像、画像、音楽、音声、文章、文字、数式、数字、記号などであってもよい。
【００４７】
〔テレビジョン受像機１００の概要〕
図１に基づいて、本実施の形態に係るテレビジョン受像機１００の概要を説明する。図１は、テレビジョン受像機１００の要部構成を示すブロック図である。
【００４８】
テレビジョン受像機（表示装置）１００は、複数のコンテンツ１を一覧可能に表示するコンテンツ出力部１７と、当該複数のコンテンツと当該複数のコンテンツのそれぞれを識別する複数のカラーボタン５との対応関係を明示するコンテンツ装飾部１５と、当該複数のカラーボタン５の中から少なくとも１つをユーザに選択させることによって、コンテンツ１を選択するコンテンツ選択部１６とを備えた表示装置である。
【００４９】
図２に基づいて、テレビジョン受像機１００を操作可能な入力機器の一例を説明する。図２は、リモコン１２の外観例を示す模式図である。
【００５０】
リモコン（入力機器）１２は、ユーザがテレビジョン受像機１００を操作するための入力を与える入力機器である。リモコン１２は、互いに異なる色を有する４つのカラーボタン（識別子、操作キー）５ａ〜５ｄを、操作キーとして備える。また、リモコン１２は、マルチコンテンツボタン６、選択ボタン７ａ、キャンセルボタン７ｂ、およびその他のボタン（電源ボタン、放送局選択ボタン、音量調節ボタンなど）をさらに備える。
【００５１】
なお、カラーボタン５は、例えばＡＲＩＢ規格に準拠した青、赤、緑、黄の４色であってよい。これにより、多くのユーザが上記４色を識別しやすくなる。
【００５２】
図３に基づいて、テレビジョン受像機１００を操作可能な入力機器の異なる例を説明する。図３は、スマートフォン１３の外観例を示す模式図である。
【００５３】
テレビジョン受像機１００を操作するための入力を与える入力機器は、スマートフォン（入力機器）１３であってもよい。すなわち、スマートフォン１３は上記ボタンに対応するアイコン（識別子、操作キー）８を表示しており、ユーザは当該アイコンをタッチ操作で選択することにより、テレビジョン受像機１００に入力を与えてもよい。
【００５４】
図２および図３に示すように、リモコン１２の任意のボタンまたはスマートフォン１３の任意のアイコン８をユーザが押下すると、リモコン１２（またはスマートフォン１３）は当該ボタン（または当該アイコン）に対応するユーザ入力２を出力する。テレビジョン受像機１００は入力部２０（図１参照）で当該ユーザ入力を受け付け、当該ユーザ入力によって指定される処理を実行する。
【００５５】
なお、リモコン１２またはスマートフォン１３とテレビジョン受像機１００とは、両者がユーザ入力２を送受信できるように通信可能に接続されていればよく、その接続形態や通信方式等は特定の構成または種類のものに限定されない。以下の説明では、ユーザはリモコン１２（図２参照）を用いてテレビジョン受像機１００に入力を与えると仮定する。
【００５６】
図４に基づいて、テレビジョン受像機１００の動作の概要を説明する。図４は、テレビジョン受像機１００がマルチコンテンツ表示を行った場合、各コンテンツの表示枠（領域の境界）９ａ〜９ｄの色と、リモコン１２のカラーボタン５ａ〜５ｄの色とが一致することを示す模式図である。なお、「マルチコンテンツ表示」とは、テレビジョン受像機１００が複数のコンテンツ１を、所定の表示形態（例えば図４に示す表示形態）で一覧表示することをいう。
【００５７】
図４に示すように、ユーザがリモコン１２のマルチコンテンツボタン６を押下すると、テレビジョン受像機１００は４つのコンテンツ１ａ〜１ｄを一覧表示する。ユーザはリモコン１２のカラーボタン５ａ〜５ｄのいずれか１つを押下することによって、当該カラーボタンに対応するコンテンツを選択できる。
【００５８】
ここで、テレビジョン受像機１００は、コンテンツ１の表示枠（領域の境界）９の色（識別表示）を当該カラーボタンの色と一致させる（同一の色で装飾する）ことに注意する。すなわち、カラーボタン５ａで識別されるコンテンツ１ａの表示枠９ａは、当該カラーボタンの色と一致する。同様に、表示枠９ｂの色とカラーボタン５ｂの色とが一致し、表示枠９ｃの色とカラーボタン５ｃの色とが一致し、表示枠９ｄの色とカラーボタン５ｄの色とが一致する。
【００５９】
また、テレビジョン受像機１００は、「カラーボタン５を押下する」という１回の入力をユーザから受け付けることによって、当該カラーボタンを識別するコンテンツを選択することにも注意する。すなわち、ユーザは所望のコンテンツ１を識別するカラーボタン５を押下するだけで、テレビジョン受像機１００に当該コンテンツを表示させることができる。
【００６０】
これにより、テレビジョン受像機１００は、コンテンツの一覧表示を阻害することなく、コンテンツ１とカラーボタン５との対応関係を明示できる。また、テレビジョン受像機１００は、ユーザに所望のコンテンツを簡単に選択させることができる。したがって、テレビジョン受像機１００は、ユーザがコンテンツを選択する際の利便性を向上させることができる。
【００６１】
なお、図２および図３は、リモコン１２またはスマートフォン１３が４つのカラーボタン５ａ〜５ｄ（またはこれらに対応するアイコン８）を備えた例を示した。また、図４は、マルチコンテンツ表示において、テレビジョン受像機１００が４種類のコンテンツ１ａ〜１ｄを一覧表示する例を示した。
【００６２】
すなわち、上記の説明は、ユーザはカラーボタン５を押下することにより、４つのコンテンツ１から１つを選択する例を示している。しかし、マルチコンテンツ表示においてテレビジョン受像機１００が表示するコンテンツの種類の数や、リモコン１２またはスマートフォン１３が備えるカラーボタン５（またはこれに対応するアイコン８）の数は４つに限定されない。以下の説明等においても同様である。
【００６３】
〔テレビジョン受像機１００の構成〕
図１に基づいて、テレビジョン受像機１００の構成を説明する。なお、記載の簡潔性を担保するため、本実施の形態に直接関係のない部分は構成の説明およびブロック図から省略した。ただし、実施の実情に則して、テレビジョン受像機１００は当該省略した構成を含んでもよい。
【００６４】
以下、受信部３０、コンテンツ抽出部４０、入力部２０、制御部１１（コンテンツ装飾部１５、コンテンツ選択部１６、コンテンツ出力部１７）、表示部７０の順序で各構成が担う機能を説明する。
【００６５】
受信部３０は、外部（例えば放送局）からコンテンツストリーム３を受信する。なお、コンテンツストリーム３とは、少なくとも１つのコンテンツを含む任意のデータであり、例えばテレビのデジタル放送波であってよい。受信部３０は、受信したコンテンツストリーム３をコンテンツ抽出部４０に出力する。
【００６６】
コンテンツ抽出部４０は、受信部３０が受信したコンテンツストリーム３からコンテンツ１のみを抽出し、これを制御部１１へ出力する。なお、ユーザは、コンテンツ抽出部４０にユーザ入力２を与えることによって、コンテンツ１の受信元（例えば、放送局やテレビジョン受像機１００に接続された外部機器など）を切り替えることができる。
【００６７】
入力部２０は、ユーザ入力２を受け付ける。具体的には、リモコン１２から出力されたユーザ入力２が入力されると、当該ユーザ入力をコンテンツ抽出部４０および制御部１１に出力する。
【００６８】
制御部１１は、テレビジョン受像機１００の各種機能を統括的に制御するものであり、コンテンツ装飾部１５、コンテンツ選択部１６、およびコンテンツ出力部１７を含む。なお、制御部１１の各機能は、例えばＲＡＭ（Random Access Memory）やフラッシュメモリなどの記憶素子に記憶されたプログラムを、ＣＰＵ（Central Processing Unit）が実行することによって実現されてもよい。
【００６９】
制御部１１は、入力部２０から入力されたユーザ入力２がマルチコンテンツボタン６の押下であるか否かを判定する。そして、マルチコンテンツボタン６の押下ではないと判定する場合、制御部１１はユーザによって指定されたコンテンツ１を、表示部７０で表示可能なコンテンツデータ４に変換し、これを表示部７０に出力する。同様に、制御部１１は、コンテンツ選択部１６によって選択されたコンテンツを、表示部７０に表示する。
【００７０】
コンテンツ装飾部（明示手段）１５は、コンテンツ出力部１７によって複数のコンテンツ１が一覧可能に表示されている場合、コンテンツ１が一覧可能に表示されるそれぞれの表示枠９を、当該コンテンツを識別するカラーボタン５に対応付けられた色と同一の色で装飾することによって、コンテンツとカラーボタン５との対応関係を明示する。具体的には、コンテンツ装飾部１５は、カラーボタン５の色と同一の色の表示枠９を表すデータを、コンテンツ出力部１７が出力するコンテンツデータ４に追加する処理を実行する。
【００７１】
コンテンツ選択部（選択手段）１６は、コンテンツ装飾部１５によって対応関係が明示された後、カラーボタン５の中から少なくとも１つをユーザに選択させることによって、当該選択されたカラーボタン５によって識別されるコンテンツ１を選択する。ここで、コンテンツ選択部１６は、１回の入力によって選択可能なカラーボタン５をユーザに選択させることによって、当該コンテンツを選択することに注意する。
【００７２】
具体的には、コンテンツ選択部１６は、入力部２０から入力されたユーザ入力２がカラーボタン５の押下であると判定する場合、当該カラーボタンに対応するコンテンツ１を制御部１１に出力させる。
【００７３】
コンテンツ出力部（表示手段）１７は、複数のコンテンツ１を一覧可能に表示する（図４参照）。具体的には、コンテンツ出力部１７は、コンテンツ抽出部４０から入力されたコンテンツ１の中から所定の４つのコンテンツを抜き出し、所定の表示形態（例えば図４に示した表示形態）にしたがって表示部７０で表示できるように、これらをコンテンツデータ４に変換して表示部７０に出力する。
【００７４】
また、コンテンツ出力部１７は、リモコン１２におけるカラーボタン５の配列に応じて、複数のコンテンツ１を一覧可能に表示してもよい。この構成の詳細は後で述べる。なお、コンテンツ出力部１７は、複数のコンテンツ１を一覧表示するにあたり、各コンテンツを拡大・縮小したり、表示させているコンテンツに重ね合わせて表示させたりすることができる。
【００７５】
表示部７０は、制御部１１（特にコンテンツ出力部１７）から入力されるコンテンツデータ４を、表示面に表示する装置である。本実施の形態では主に液晶ディスプレイ（Liquid Crystal Display；ＬＣＤ）を想定しているが、表示機能を有する装置（特に、フラットパネルディスプレイ）でありさえすればハードウェアの種類は限定されない。例えば、プラズマディスプレイ（Plasma Display Panel；ＰＤＰ）やＥＬ（Electroluminescence）ディスプレイなどの表示素子と、制御部１１から入力されたコンテンツデータ４に基づいて、当該表示素子を駆動するドライバ回路とを備える装置等で、表示部７０を構成できる。
【００７６】
〔マルチコンテンツ表示とカラーボタン５との対応関係〕
図５および図６に基づいて、マルチコンテンツ表示における各コンテンツの表示位置と、リモコン１２におけるカラーボタン５の配置位置との対応関係を説明する。
【００７７】
図５は、テレビジョン受像機１００がマルチコンテンツ表示を行った場合の画面例と、リモコン１２に備えたカラーボタン５の配置例との対応関係を示す模式図である。図６は、テレビジョン受像機１００がマルチコンテンツ表示を行った場合の異なる画面例と、リモコン１２に備えたカラーボタン５の異なる配置例との対応関係を示す模式図である。
【００７８】
図５および図６に示すように、マルチコンテンツ表示における各コンテンツの表示位置と、リモコン１２におけるカラーボタン５の配置位置とを一致させることが望ましい。
【００７９】
図５に例示するように、リモコン１２の筐体において、カラーボタン５ａが他のカラーボタンより左側に配置されている場合、テレビジョン受像機１００は、当該カラーボタンによって選択可能なコンテンツ１ａ（表示枠９ａによってカラーボタン５ａとの対応関係が明示されている）を、他のコンテンツより左側に表示する。また、図６に例示するように、リモコン１２の筐体において、カラーボタン５ａが他のカラーボタンより上側に配置されている場合、テレビジョン受像機１００は、当該カラーボタンによって選択可能なコンテンツ１ａを、他のコンテンツより上側に表示する。
【００８０】
すなわち、テレビジョン受像機１００は、リモコン１２の筐体におけるカラーボタン５が配置されている順序および方向と、各コンテンツが表示される順序および方向とを一致させて、各コンテンツを表示する。これにより、ユーザは各コンテンツの表示位置とカラーボタン５の配置位置との対応を直感的に把握できる。したがって、テレビジョン受像機１００は、ユーザがコンテンツを選択する際の利便性をさらに向上させることができる。
【００８１】
なお、図５および図６は、コンテンツを表示部７０の下部および左部に一覧表示する例をそれぞれ示した。しかし、一覧表示する位置は、表示部７０の下部および左部に限定されない。例えば、表示部７０の上部や右部であってもよいし、中央部であってもよい。テレビジョン受像機１００が複数の表示部７０を備える場合、テレビジョン受像機１００は、他の表示部の所定の位置にコンテンツを一覧表示してもよい。
【００８２】
〔テレビジョン受像機１００が実行する処理〕
図７に基づいて、テレビジョン受像機１００が実行する処理の流れを説明する。図７は、テレビジョン受像機１００が実行する処理の一例を示すフローチャートである。
【００８３】
まず、受信部３０が外部（例えば放送局）からコンテンツストリーム３を受信し、コンテンツ抽出部４０がコンテンツストリーム３からコンテンツ１のみを抽出する（ステップ１：以下、Ｓ１のように略記する）。次に、制御部１１は、入力部２０から入力されたユーザ入力２がマルチコンテンツボタン６の押下であるか否かを判定する（Ｓ２）。マルチコンテンツボタン６の押下ではないと判定する場合（Ｓ２においてＮＯ）、制御部１１はユーザによって指定されたコンテンツ１を、表示部７０で表示可能なコンテンツデータ４に変換し、これを表示部７０に出力することで、当該コンテンツを表示する（Ｓ７）。
【００８４】
一方、マルチコンテンツボタン６の押下であると判定する場合（Ｓ２においてＹＥＳ）、コンテンツ出力部１７は、複数のコンテンツ１を一覧可能に表示する（Ｓ３、図４〜図６参照、テレビジョン受像機１００の制御方法における表示ステップ）。また、コンテンツ装飾部１５は、コンテンツ１のそれぞれの表示枠９を、当該コンテンツを識別するカラーボタン５に対応付けられた色と同一の色で装飾することによって、コンテンツとカラーボタン５との対応関係を明示する（Ｓ４、明示ステップ）。
【００８５】
コンテンツ選択部１６は、入力部２０から入力されたユーザ入力２がカラーボタン５の押下であるか否かを判定する（Ｓ５ａ）。カラーボタン５の押下であると判定する場合（Ｓ５ａにおいてＹＥＳ）、コンテンツ選択部１６は当該カラーボタンに対応するコンテンツ１を選択し（Ｓ６、選択ステップ）、制御部１１が当該コンテンツを表示部７０に表示する（Ｓ７）。
【００８６】
〔テレビジョン受像機１００の変形例〕
（選択ボタン７ａを用いた操作について）
テレビジョン受像機１００（コンテンツ選択部１６）は、ユーザがリモコン１２の選択ボタン７ａを押下した（第２の操作が行われた）後に、カラーボタン５を押下する操作（１回の入力）を受け付けることによって、コンテンツ１を選択してもよい。
【００８７】
すなわち、マルチコンテンツ表示において、テレビジョン受像機１００は表示枠９を直ちには表示させず、ユーザが選択ボタン７ａを押下した後に表示させる。そして、テレビジョン受像機１００は、ユーザからカラーボタン５を押下する操作を受け付ける。なお、テレビジョン受像機１００は、ユーザによって選択されたコンテンツ１を拡大して表示したり、当該コンテンツにだけ特別な色の表示枠９を付したりしてもよい。
【００８８】
これにより、ユーザによって選択ボタン７ａが押下されるまで、テレビジョン受像機１００はカラーボタン５を他の処理を実行するための操作に割り当てることができる。したがって、テレビジョン受像機１００は、ユーザがコンテンツを選択する際の利便性をさらに向上させることができる。
【００８９】
（キャンセルボタン７ｂを用いた操作について）
また、テレビジョン受像機１００（コンテンツ選択部１６）は、ユーザがリモコン１２のキャンセルボタン７ｂを押下した（第１の操作が行われた）場合、コンテンツ１の選択をキャンセルしてもよい。
【００９０】
例えば、マルチコンテンツ表示においてユーザがカラーボタン５ａを押下したことにより、コンテンツ１ａが選択され、テレビジョン受像機１００が当該コンテンツを表示している場合に、ユーザがキャンセルボタン７ｂを押下したとする。このとき、テレビジョン受像機１００は、先にユーザが行ったコンテンツ１ａの選択をキャンセルする。すなわち、テレビジョン受像機１００は、コンテンツ１ａの表示を中断し、先のマルチコンテンツ表示を再度行う。
【００９１】
これにより、テレビジョン受像機１００は、ユーザに誤操作を簡単に取り消させることができる。したがって、テレビジョン受像機１００は、ユーザがコンテンツを選択する際の利便性をさらに向上させることができる。
【００９２】
（選択されていないコンテンツにのみ表示枠が表示される例について）
図８に基づいて、選択されていないコンテンツ１にのみ表示枠９が表示される例を説明する。図８は、ユーザがコンテンツ１ｃを選択した場合、選択されていないコンテンツ１ａ、１ｂ、および１ｄにのみ表示枠９ａ、９ｂ、および９ｄが表示される例を示す模式図である。
【００９３】
図８（ａ）は、テレビジョン受像機１００がマルチコンテンツ表示を行った場合の画面例を示す。また、図８（ｂ）は、ユーザによってコンテンツ１ｃが選択された直後のマルチコンテンツ表示を示し、図８（ｃ）は、ユーザによってコンテンツ１ｃが選択された後、メイン画面に表示されていたコンテンツに表示枠９ｃが表示された状態を示す。
【００９４】
テレビジョン受像機１００（コンテンツ装飾部１５）は、ユーザによってカラーボタン５ｃが押下されると、コンテンツ１ｃを選択する。図８（ｂ）に示すように、このときテレビジョン受像機１００は、コンテンツ１ｃの表示位置とメイン画面に表示されていたコンテンツの表示位置を入れ替える。また、コンテンツ１ｃが選択されたことを明示するために、テレビジョン受像機１００（コンテンツ装飾部１５）は、入れ替えた後のコンテンツ１ｃに表示枠９ｃを表示する。
【００９５】
図８（ｃ）に示すように、その後に所定の時間が経過すると、テレビジョン受像機１００は、メイン画面に表示されていたコンテンツに表示枠９ｃを表示する。すなわち、テレビジョン受像機１００は、元の位置に表示枠９ｃを表示する。
【００９６】
言い換えれば、テレビジョン受像機１００は、コンテンツ選択部１６によって選択されたコンテンツ以外の他のコンテンツの表示枠９を、当該コンテンツを識別するカラーボタン５に付された色と同一の色で装飾することによって明示してもよい。
【００９７】
（その他の明示方法について）
カラーボタン５の表面に画像が付されている場合、テレビジョン受像機１００は、表示枠９に沿って当該画像を散りばめることにより、当該カラーボタンとコンテンツ１との対応関係を明示してもよい。
【００９８】
〔テレビジョン受像機１００により奏される効果〕
テレビジョン受像機１００は、コンテンツ１の表示枠９を、カラーボタン５に対応付けられた色と同一の色で装飾することにより、コンテンツ１の一覧表示を阻害することなくコンテンツ１とカラーボタン５との対応関係を明示できる。
【００９９】
また、テレビジョン受像機１００は、１回の入力によって選択可能なカラーボタン５をユーザに選択させることができるため、ユーザに所望のコンテンツ１を簡単に選択させることができる。
【０１００】
したがって、テレビジョン受像機１００は、ユーザがコンテンツ１を選択する際の利便性を向上させることができるという効果を奏する。
【０１０１】
〔実施の形態２〕
以下、本発明の実施の形態について、図９〜図１１に基づいて詳細に説明する。なお、本実施の形態では、前述した実施の形態１に追加される構成のみについて説明する。すなわち、実施の形態１で記載された構成等は、実施の形態２にも含まれる。さらに、実施の形態１で記載した用語の定義についても同じである。
【０１０２】
〔テレビジョン受像機２００の構成〕
図９に基づいて、テレビジョン受像機２００の構成について説明する。図９は、テレビジョン受像機２００の要部構成を示すブロック図である。なお、前述と同様に、本実施の形態に直接関係のない部分は構成の説明およびブロック図から省略した。また、前述したテレビジョン受像機１００に含まれる構成と同一の構成には同一の符号を付すことにより説明を省略するため、以下ではコンテンツ入替部１８が担う機能のみを説明する。
【０１０３】
コンテンツ入替部（入替手段）１８は、ユーザによって１つ目に選択したカラーボタン５とは異なるカラーボタン５が２つ目に選択された場合、当該１つ目に選択されたカラーボタン５によって識別されるコンテンツ１の表示位置と、当該２つ目に選択されたカラーボタン５によって識別されるコンテンツ１の表示位置とを入れ替える。
【０１０４】
図１０に基づいて、コンテンツ入替部１８が実行するコンテンツの表示位置を入れ替える処理を具体的に説明する。図１０は、コンテンツの表示位置を入れ替える処理の流れを示す模式図である。同図（ａ）は、テレビジョン受像機２００がマルチコンテンツ表示を行っている場合の画面例を示す。また、同図（ｂ）は、ユーザがコンテンツ１ｄを選択した場合の画面例を示し、同図（ｃ）は、コンテンツ１ｄの表示位置をコンテンツ１ａの表示位置と入れ替えた場合の画面例を示す。
【０１０５】
図１０（ａ）に示すように、テレビジョン受像機２００がマルチコンテンツ表示を行っている場合に、ユーザがカラーボタン５ｄを押下すると、コンテンツ選択部１６はコンテンツ１ｄを選択する。
【０１０６】
図１０（ｂ）に示すように、このときコンテンツ装飾部１５は、コンテンツ１ｄの表示枠９ｄ以外の表示枠９ａ〜９ｃを非表示にしてよい。これにより、テレビジョン受像機２００は、ユーザがいずれのコンテンツを選択したかをユーザに明示できる。
【０１０７】
図１０（ｃ）に示すように、ユーザがカラーボタン５ａをさらに押下すると、コンテンツ入替部１８は、１つ目に選択したコンテンツ１ｄの表示位置と２つ目に選択したコンテンツ１ａの表示位置とを入れ替える。
【０１０８】
なお、図１０には示していないが、ユーザが２つ目にコンテンツ１ｂを選択した場合、コンテンツ入替部１８は、コンテンツ１ｂの表示位置とコンテンツ１ｄの表示位置とを入れ替える。ユーザが２つ目にコンテンツ１ｃを選択した場合、コンテンツ入替部１８は、コンテンツ１ｃの表示位置とコンテンツ１ｄの表示位置とを入れ替える。
【０１０９】
このように、テレビジョン受像機２００は、ユーザにマルチコンテンツ表示におけるコンテンツの表示位置を簡単に入れ替えさせることができる。ここで、１つ目の選択と２つ目の選択とで異なるキーが押されるため、テレビジョン受像機２００は、ユーザがコンテンツを選択する操作を行っているか、コンテンツを入れ替える操作を行っているかを区別できる。
【０１１０】
これにより、テレビジョン受像機２００は、ユーザの誤操作を減らすことができる。したがって、テレビジョン受像機２００は、ユーザがコンテンツを選択する際の利便性をさらに向上させることができる。
【０１１１】
〔テレビジョン受像機２００が実行する処理〕
図１１に基づいて、テレビジョン受像機２００が実行する処理の流れを説明する。図１１は、テレビジョン受像機２００が実行する処理の一例を示すフローチャートである。
【０１１２】
ここで、テレビジョン受像機２００が実行する処理は、図７を参照して説明したテレビジョン受像機１００が実行する処理と大部分が同一であり、同一の処理については同一の符号を付すことにより説明を省略する。したがって、以下ではコンテンツ入替部１８が実行する処理（図１１においてＳ５ｂおよびＳ８）のみ説明する。
【０１１３】
コンテンツ選択部１６は、入力部２０から入力されたユーザ入力２が、２つ目のカラーボタン５の押下であるか否かを判定する（Ｓ５ｂ）。カラーボタン５の押下であると判定する場合（Ｓ５ｂにおいてＹＥＳ）、コンテンツ入替部１８は当該２つ目に選択されたカラーボタン５に応じて、コンテンツ１の表示位置を入れ替える（Ｓ８、入替ステップ）。
【０１１４】
〔テレビジョン受像機２００により奏される効果〕
テレビジョン受像機２００は、ユーザに２つのコンテンツ１の表示位置を簡単に入れ替えさせることができる。また、テレビジョン受像機２００は、ユーザがコンテンツ１を選択する操作を行っているか、コンテンツを入れ替える操作を行っているかを区別できるため、ユーザの誤操作を減らすことができる。
【０１１５】
したがって、テレビジョン受像機２００は、ユーザがコンテンツ１を選択する際の利便性をさらに向上させることができる。
【０１１６】
〔実施の形態３〕
以下、本発明の実施の形態について、図１２に基づいて詳細に説明する。なお、本実施の形態では、実施の形態１で説明したテレビジョン受像機１００、または実施の形態２で説明したテレビジョン受像機２００と、同等の機能を有するテレビジョン受像機３００を想定する。すなわち、本実施の形態に係るテレビジョン受像機３００は、テレビジョン受像機１００またはテレビジョン受像機２００の異なる実現例に相当し、本質的な機能は変わらない。
【０１１７】
図１２に基づいて、テレビジョン受像機３００の構成を説明する。図１２は、テレビジョン受像機１００またはテレビジョン受像機２００と同等の機能を有するテレビジョン受像機３００の要部構成を示すブロック図である。
【０１１８】
テレビジョン受像機３００は、リモコン受信部（入力部２０）、全体制御部（制御部１１）、映像表示装置（表示部７０）を含む。また、全体制御部は、枠追加機能（コンテンツ装飾部１５）、重ね合わせ・拡大／縮小機能（コンテンツ出力部１７）を制御する。また、全体制御部は、リモコン受信部を介して入力された信号に基づいて、ユーザが選択したコンテンツを判別する（コンテンツ選択部１６）。
【０１１９】
言い換えれば、テレビジョン受像機３００は、映像に異なる色の枠を付ける機能と、枠の付いた２つ以上の異なる映像を重ねて表示する機能と、操作部からの制御で映像から１つの映像を選択して表示を切り替える機能を持つ表示装置であって、操作部に映像の枠の色と対応したボタンを備え、そのボタンにより１つの映像を選択できることを特徴とする表示装置である。
【０１２０】
〔各実施の形態に含まれる構成（技術的手段）の組み合わせについて〕
上述した実施の形態１−３に含まれる構成は、適宜組み合わせられることに注意する。すなわち、上記の実施の形態１−３で説明したすべての構成は、当該説明に係る実施の形態のみならず、他の実施の形態においても当該構成の全部または一部を組み合わせて利用でき、それによって得られる実施の形態についても本発明の技術的範囲に含まれる。
【０１２１】
さらに換言すれば、本発明は上述した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【０１２２】
〔ソフトウェアによる実現例〕
最後に、テレビジョン受像機１００、テレビジョン受像機２００、およびテレビジョン受像機３００の各ブロック（特に制御部１１）は、集積回路（ＩＣチップ）上に形成された論理回路によってハードウェア的に実現してもよいし、ＣＰＵ（Central Processing Unit）を用いてソフトウェア的に実現してもよい。
【０１２３】
後者の場合、テレビジョン受像機１００、テレビジョン受像機２００、およびテレビジョン受像機３００は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備える。そして、本発明の目的は、上述した機能を実現するソフトウェアであるテレビジョン受像機１００、テレビジョン受像機２００、またはテレビジョン受像機３００の制御プログラムのプログラムコード（実行形式プログラム、中間コードプログラム、ソースプログラム）をコンピュータで読み取り可能に記録した記録媒体を、テレビジョン受像機１００、テレビジョン受像機２００、またはテレビジョン受像機３００に供給し、そのコンピュータ（またはＣＰＵやＭＰＵ）が記録媒体に記録されているプログラムコードを読み出し実行することによっても、達成可能である。
【０１２４】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１２５】
また、テレビジョン受像機１００、テレビジョン受像機２００、またはテレビジョン受像機３００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１２６】
このように、本明細書においては、手段とは必ずしも物理的手段を意味せず、各手段の機能がソフトウェアによって実現される場合も含む。また、１つの手段の機能が２つ以上の物理的手段により実現されてもよいし、２つ以上の手段の機能が１つの物理的手段により実現されてもよい。
【産業上の利用可能性】
【０１２７】
本発明は、外部から受信したコンテンツを表示部に出力するテレビジョン受像機などの表示装置等に適用できる。
【符号の説明】
【０１２８】
１ａ  コンテンツ
１ｂ  コンテンツ
１ｃ  コンテンツ
１ｄ  コンテンツ
５ａ  カラーボタン（識別子、操作キー）
５ｂ  カラーボタン（識別子、操作キー）
５ｃ  カラーボタン（識別子、操作キー）
５ｄ  カラーボタン（識別子、操作キー）
８    アイコン（識別子、操作キー）
９    表示枠（領域の境界）
１２    リモコン（入力機器）
１３    スマートフォン（入力機器）
１５    コンテンツ装飾部（明示手段）
１６    コンテンツ選択部（選択手段）
１７    コンテンツ出力部（表示手段）
１８    コンテンツ入替部（入替手段）
１００    テレビジョン受像機（表示装置）
２００    テレビジョン受像機（表示装置）
３００    テレビジョン受像機（表示装置）
【図１】
2013175942.tif 000003
【図２】
2013175942.tif 000004
【図３】
2013175942.tif 000005
【図４】
2013175942.tif 000006
【図５】
2013175942.tif 000007
【図６】
2013175942.tif 000008
【図７】
2013175942.tif 000009
【図８】
2013175942.tif 000010
【図９】
2013175942.tif 000011
【図１０】
2013175942.tif 000012
【図１１】
2013175942.tif 000013
【図１２】
2013175942.tif 000014
【図１３】
2013175942.tif 000015